【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
板ガラスに沿って帯状スペーサシーリング材を布設するための装置であって、
第１及び第２の端部を有する取っ手と、
前記取っ手の前記第１の端部に結合されており、回転自在なベースプレートローラを有するベースプレートと、
前記取っ手の前記第２の端部と前記ベースプレートとに結合されており、正面位置決めローラと少なくとも一つの案内ピンと圧下ローラとを有する筐体であって、前記少なくとも一つの案内ピンと前記筐体ローラとは、前記帯状スペーサシーリング材を布設するための案内路を形成し、前記圧下ローラは前記帯状スペーサシーリング材を前記板ガラス上に取り付けるための圧力を与える筐体と、
前記ベースプレートの底面に沿った向きに配置され、少なくとも２つの案内ローラが取付けられた調節可能な案内板であって、前記少なくとも２つの案内ローラは前記ベースプレートローラに対して垂直向きに配置されており、前記調節可能な案内板が前記少なくとも２つの案内ローラの前記板ガラスの端部からの距離を増減すべく調節可能になっている調節可能な案内板と
を備える装置。
【請求項２】
前記筐体の内部に配置されるか又はこれに取付けられており、少なくとも一つの照準ポートと、少なくとも一つの指示光を投光することができる光源発生器とを有する照準システムをさらに備える請求項１に記載の装置。
【請求項３】
前記少なくとも一つの案内ピンから横方向にずらして配置されており、前記筐体に取付けられているアンビルと、
前記アンビルの反対側に位置し、前記筐体の切断刃スロットに少なくとも部分的に収容されて往復動できる切断刃と、
前記帯状スペーサシーリング材を切断するとともに前記切断刃を引込めるために、前記切断刃を前記アンビルに向けて移動させるべく前記切断刃と通信する切断刃作動手段と、
をさらに備える請求項２に記載の装置。
【請求項４】
板ガラスに沿って粘着帯状材を布設するための装置であって、
第１及び第２の端部を有する取っ手と、
前記取っ手の前記第１の端部に結合されており、回転自在なベースプレートローラを有するベースプレートと、
前記取っ手の前記第２の端部と前記ベースプレートとに結合されており、正面位置決めローラと少なくとも一つの案内ピンと圧下ローラとを有する筐体であって、その内部に切断手段を有し、前記少なくとも一つの案内ピンと前記筐体ローラとは前記粘着帯状材を布設するための案内路を形成し、前記圧下ローラは前記粘着帯状材を前記板ガラス上に取り付けるための圧力を与える筐体と、
前記ベースプレートの底面に沿った向きに配置され、少なくとも２つの案内ローラが取付けられた調節可能な案内板であって、前記少なくとも２つの案内ローラは前記ベースプレートローラに対して垂直向きに配置されており、前記調節可能な案内板が前記少なくとも２つの案内ローラの前記板ガラスの端部からの距離を増減すべく調節可能になっている調節可能な案内板と、
前記筐体に取付けられており、少なくとも一つの照準ポートと少なくとも一つの指示光を投光することができる光源発生器とを有する照準システムと
を備える装置。
【請求項５】
前記少なくとも一つの案内ピンから横方向にずらして配置されており、前記筐体に取付けられているアンビルと、
前記アンビルの反対側に位置し、前記筐体の切断刃ガイドに少なくとも部分的に収容されて往復動できる切断刃と、
前記粘着帯状材を切断するとともに前記切断刃を引込めるために、前記切断刃を前記アンビルに向けて往復させるべく前記切断刃と通信する切断刃作動手段と
をさらに備える請求項５に記載の切断手段。
【請求項６】
板ガラスに沿って帯状スペーサシーリング材を布設するための装置であって、
第１及び第２の端部を有する取っ手と、
前記取っ手の前記第１の端部に結合されており、回転自在なベースプレートローラを有するベースプレートと、
前記取っ手の前記第２の端部と前記ベースプレートとに結合されており、正面位置決めローラと少なくとも一つの案内ピンと圧下ローラとを有する筐体であって、その内部に切断手段を有し、前記少なくとも一つの案内ピンと前記正面位置決めローラとは前記帯状スペーサシーリング材を布設するための案内路を形成し、前記圧下ローラは前記帯状スペーサシーリング材を前記板ガラス上に取り付けるための圧力を与える筐体と、
前記筐体に取付けられており、少なくとも一つの照準ポートと少なくとも一つの指示光を投光することができる光源発生器とを有する照準システムと、
前記ベースプレートの底面に沿った向きに配置され、少なくとも２つの案内ローラが取付けられた調節可能な案内板であって、前記少なくとも２つの案内ローラは前記ベースプレートローラに対して垂直向きに配置されており、前記調節可能な案内板が前記少なくとも２つの案内ローラの前記板ガラスの端部からの距離を増減すべく調節可能になっている調節可能な案内板と
を備える装置。
【請求項７】
前記少なくとも一つの案内ピンから横方向にずらして配置されて、前記筐体に取付けられているアンビルと、
前記アンビルの反対側に位置し、前記筐体の切断刃ガイドに少なくとも部分的に収容されて往復動できる切断刃と、
前記帯状スペーサシーリング材を切断するとともに前記切断刃を引込めるために、前記切断刃を前記アンビルに向けて往復させるべく前記切断刃と通信する切断刃作動手段と
をさらに備える請求項８に記載の切断手段。
【請求項８】
前記照準システムは、前記装置が前記帯状スペーサシーリング材を切り欠くために前記板ガラスの角の所定の位置にあるときに指示する第１の指示光と、
前記装置が前記角を曲がるために所定の位置にあるときに指示する第２の指示光と
をさらに備える請求項２に記載の装置。
【請求項９】
前記照準システムは、前記装置が前記粘着帯状材を切り欠くために前記板ガラスの角の所定の位置にあるときに指示する第１の指示光と、
前記装置が前記角を曲がるために所定の位置にあるときに指示する第２の指示光と
をさらに備える請求項５に記載の装置。
【請求項１０】
前記照準システムは、前記装置が前記帯状スペーサシーリング材を切り欠くために前記板ガラスの角の所定の位置にあるときに指示する第１の指示光と、
前記装置が前記角を曲がるために所定の位置にあるときに指示する第２の指示光と
をさらに備える請求項８に記載の切断手段。
【請求項１１】
板ガラスに沿って帯状スペーサシーリング材を布設するための装置であって、
第１及び第２の端部を有する取っ手と、
前記取っ手の前記第１の端部に結合されており、回転自在なベースプレートローラを有するベースプレートと、
前記取っ手の前記第２の端部と前記ベースプレートとに結合されており、正面位置決めローラと少なくとも一つの案内ピンと圧下ローラとを有する筐体であって、前記少なくとも一つの案内ピンと前記正面位置決めローラとは、前記帯状スペーサシーリング材を布設するための案内路を形成し、前記圧下ローラは前記帯状スペーサシーリング材を前記板ガラス上に取り付けるための圧力を与える筐体と、
前記装置が前記粘着帯状材を切り欠くために前記板ガラスの角の所定の位置にあるときに指示する第１の指示光と前記装置が前記角を曲がるために所定の位置にあるときに指示する第２の指示光とを備える前記筐体に取り付けられた照準システムと
を備える装置。
【請求項１２】
前記ベースプレートの底面に沿った向きに配置され、少なくとも２つの案内ローラが取付けられた調節可能な案内板であって、前記少なくとも２つの案内ローラは前記ベースプレートローラに対して垂直向きに配置されている案内板をさらに備える請求項１３に記載の装置。
【請求項１３】
前記調節可能な案内板が前記少なくとも２つの案内ローラの前記板ガラスの端部からの距離を増減すべく調節可能になっている請求項１４に記載の装置。
【請求項１４】
前記少なくとも一つの案内ピンから横方向にずらして配置されており、前記筐体に取付けられているアンビルと、
前記アンビルの反対側に位置し、前記筐体の切断刃ガイドに少なくとも部分的に収容されて往復動できる切断刃と、
帯状スペーサシーリング材を切断するとともに前記切断刃を引込めるために、前記切断刃を前記アンビルに向けて往復させるべく前記切断刃と通信する切断刃作動手段と
をさらに備える請求項１３に記載の装置。